(57)【要約】【課題】  抜去時の操作性を良くする。【解決手段】  プラグ本体３の外周面を環状に取り囲むことなく光コネクタプラグ４を把持することが可能な把持溝を有するクリップ枠体６と、クリップ枠体６に向けて押圧されることによって変位可能にクリップ枠体６の外周面から斜めに突出したものであって、把持溝が光コネクタプラグ４を把持しているときに押圧されるとラッチ片５をプラグ本体３に近づく方向に変位させる突出プレート７と、突出プレート７においてクリップ枠体６に面しない面から隆起したものであって、クリップ枠体６において突出プレート７に面した外周面と実質的に平行に延在し且つ凹面となった押圧面８ａを有する隆起片８とを備える。【選択図】      図２
2006047810.tif 000002
【特許請求の範囲】
【請求項１】
光ファイバの先端近傍が挿入されたフェルールを内蔵したプラグ本体と、前記プラグ本体からその長手方向に関してはみ出すことなく前記プラグ本体の先端から基端へ向かう向きに斜めに前記プラグ本体の外周面から突出していると共に相手側コネクタと係合するラッチ片とを有する光コネクタプラグを把持する光コネクタクリップであって、
前記プラグ本体の外周面を環状に取り囲むことなく前記光コネクタプラグを把持することが可能な把持溝を有するクリップ枠体と、
前記クリップ枠体に向けて押圧されることによって変位可能に前記クリップ枠体の外周面から斜めに突出したものであって、前記把持溝が前記光コネクタプラグを把持しているときに押圧されるとラッチ片を前記プラグ本体に近づく方向に変位させる突出プレートと、
前記突出プレートにおいて前記クリップ枠体に面しない面から隆起したものであって、前記クリップ枠体において前記突出プレートに面した外周面と実質的に平行に延在し且つ凹面となった押圧面を有する隆起片とを備えていることを特徴とする光コネクタクリップ。
【請求項２】
前記隆起片が、前記突出プレートの幅方向に関して左右対称に形成されていることを特徴とする請求項１に記載の光コネクタクリップ。
【請求項３】
前記押圧面に連なる前記隆起片の先端が、Ｒ形状を有していることを特徴とする請求項１又は２に記載の光コネクタクリップ。
【請求項４】
前記隆起片が、前記押圧面が押圧されて前記突出プレートが変位したときにおいて実質的に変形しないような形状を有していることを特徴とする請求項１〜３のいずれか１項に記載の光コネクタクリップ。
【請求項５】
前記クリップ枠体における前記突出プレートが突出している外周面とは反対側の外周面に、前記中心軸に直交する方向に延在している溝が形成されていることを特徴とする請求項１〜４のいずれか１項に記載の光コネクタクリップ。
【請求項６】
前記クリップ枠体に把持された前記光コネクタプラグをガイドするガイド体をさらに備えていることを特徴とする請求項１〜５のいずれか１項に記載の光コネクタクリップ。
【請求項７】
前記光コネクタクリップは複数の光コネクタプラグを把持するものであると共に、前記クリップ枠体は複数の前記把持溝が互いの中心軸が平行となるように形成されたものであることを特徴とする請求項１〜６のいずれか１項に記載の光コネクタクリップ。
【請求項８】
光ファイバと、
前記光ファイバの先端近傍が挿入されたフェルールを内蔵したプラグ本体、及び前記プラグ本体からその長手方向に関してはみ出すことなく前記プラグ本体の先端から基端へ向かう向きに斜めに前記プラグ本体の外周面から突出していると共に相手側コネクタと係合するラッチ片を有する光コネクタプラグと、
前記光コネクタプラグを把持する請求項１〜７のいずれか１項に記載の光コネクタクリップとを備えていることを特徴とする光ハーネス。
【請求項９】
光ファイバの先端近傍が挿入されたフェルールを内蔵したプラグ本体と、
前記プラグ本体からその長手方向に関してはみ出すことなく前記プラグ本体の先端から基端へ向かう向きに斜めに前記プラグ本体の外周面から突出していると共に相手側コネクタと係合するラッチ片と、
前記プラグ本体における前記光ファイバの先端が配置されている側とは反対側の端部に接続されていると共に前記光ファイバを支持しているプラグキャップと、
前記プラグキャップに向けて押圧されることによって変位可能に前記プラグキャップの外周面から斜めに突出したものであって、押圧されると前記ラッチ片を前記プラグ本体に近づく方向に変位させる突出プレートと、
前記突出プレートにおいて前記プラグキャップに面しない面から隆起したものであって、前記プラグキャップにおいて前記突出プレートに面した外周面と実質的に平行に延在し且つ凹面となった押圧面を有する隆起片とを備えていることを特徴とする光コネクタプラグ。
【請求項１０】
前記押圧面に連なる前記隆起片の先端が、Ｒ形状を有していることを特徴とする請求項９に記載の光コネクタプラグ。
【請求項１１】
前記隆起片が、前記押圧面が押圧されて前記突出プレートが変位したときにおいて実質的に変形しないような形状を有していることを特徴とする請求項９又は１０に記載の光コネクタプラグ。
【請求項１２】
前記プラグキャップにおける前記突出プレートが突出している外周面とは反対側の外周面に、前記プラグキャップの中心軸に直交する方向に延在している溝が形成されていることを特徴とする請求項９〜１１のいずれか１項に記載の光コネクタプラグ。
【請求項１３】
光ファイバと、
前記光ファイバに接続されている請求項９〜１２のいずれか１項に記載の光コネクタプラグとを備えていることを特徴とする光ハーネス。
【発明の詳細な説明】
【技術分野】
【０００１】
本発明は、複数の光コネクタプラグを把持する光コネクタクリップおよび光コネクタプラグと、これらを備えてなる光ハーネスとに関する。
【背景技術】
【０００２】
フェルールを備えた光コネクタプラグをアダプタなどの他の部材に着脱可能に接続する技術が知られている（特許文献１参照）。例えば図６に示すように、この種の光コネクタプラグ１００は、光コネクタプラグ１００の側壁に沿うように配置されているとともに、接続する相手側の部材１０２に係合するラッチ片１０３と、ラッチ片１０３を変位させる変位レバー１０４とを備えている。変位レバー１０４の形状は、押圧する面をほぼ平坦にして形成されている。
【０００３】
そして、光コネクタプラグ１００を相手側部材１０２に装着する時は、そのまま挿入して変位レバー１０４を変形させラッチ片１０３を相手側部材１０２に係合させる。これにより光コネクタプラグ１００が相手側部材１０２から抜けなくなる。また、光コネクタプラグ１００を相手側部材１０２から抜去する時は、変位レバー１０４を押し下げてラッチ片１０３と相手側部材１０２との係合を解除する。その後、光コネクタクプラグ１００を引き抜くようにする。
【０００４】
【特許文献１】特開２００１−３０５３９２号公報（図１）
【発明の開示】
【発明が解決しようとする課題】
【０００５】
上述した技術では、変位レバー１０４の押圧面がほぼ平坦に形成されているので、変位レバー１０４を押し下げた状態で光コネクタプラグ１００を相手側部材１０２から抜去しようとした時に、変位レバー１０４の上で指が滑り易く操作性が良くない。
【０００６】
そこで、本発明の主たる目的は、抜去時に操作性の良い光コネクタクリップ、光コネクタプラグ、及び光ハーネスを提供することである。
【課題を解決するための手段及び発明の効果】
【０００７】
本発明の光コネクタクリップは、光ファイバの先端近傍が挿入されたフェルールを内蔵したプラグ本体と、前記プラグ本体からその長手方向に関してはみ出すことなく前記プラグ本体の先端から基端へ向かう向きに斜めに前記プラグ本体の外周面から突出していると共に相手側コネクタと係合するラッチ片とを有する光コネクタプラグを把持する光コネクタクリップであって、前記プラグ本体の外周面を環状に取り囲むことなく前記光コネクタプラグを把持することが可能な把持溝を有するクリップ枠体と、前記クリップ枠体に向けて押圧されることによって変位可能に前記クリップ枠体の外周面から斜めに突出したものであって、前記把持溝が前記光コネクタプラグを把持しているときに押圧されるとラッチ片を前記プラグ本体に近づく方向に変位させる突出プレートと、前記突出プレートにおいて前記クリップ枠体に面しない面から隆起したものであって、前記クリップ枠体において前記突出プレートに面した外周面と実質的に平行に延在し且つ凹面となった押圧面を有する隆起片とを備えている。
【０００８】
本発明によると、ユーザが指で押圧面を押圧することによりラッチ片と相手側コネクタとの係合を解除した状態で光コネクタプラグを相手側コネクタから引き抜くときに、突出プレートに隆起片が形成されているので押圧している指が凹面に引っかかるようになる。このため、光コネクタプラグを相手側コネクタから容易に引き抜くことができるようになる。
【０００９】
本発明においては、前記隆起片が、前記突出プレートの幅方向に関して左右対称に形成されていることが好ましい。これによると、押圧面を押圧することにより複数のラッチ片を均等に変位させることができる。
【００１０】
また、本発明においては、前記押圧面に連なる前記隆起片の先端が、Ｒ形状を有していることが好ましい。これによると、押圧面を押圧する指を保護することができる。
【００１１】
さらに、本発明においては、前記隆起片が、前記押圧面が押圧されて前記突出プレートが変位したときにおいて実質的に変形しないような形状を有していることが好ましい。これによると、隆起片に係る力を効率よく伝達させることができる。
【００１２】
そして、本発明においては、前記クリップ枠体における前記突出プレートが突出している外周面とは反対側の外周面に、前記中心軸に直交する方向に延在している溝が形成されていることが好ましい。これによると、指で押圧面を押圧したときに、押圧した指に対向させた指が滑るのを防止することができる。
【００１３】
また、本発明においては、前記クリップ枠体に把持された前記光コネクタプラグをガイドするガイド体をさらに備えていることが好ましい。これによると、各光コネクタプラグがガイドされているため、各光コネクタプラグのフェルールを正確に対応する相手側のコネクタに挿入することができる。
【００１４】
そして、本発明においては、前記光コネクタクリップは複数の光コネクタプラグを把持するものであると共に、前記クリップ枠体は複数の前記把持溝が互いの中心軸が平行となるように形成されたものであることが好ましい。これによると、平行に保持した複数の光コネクタプラグを同時に抜き差しできるようになる。
【００１５】
一方、本発明の光ハーネスは、複数の光ファイバと、前記光ファイバの先端近傍が挿入されたフェルールを内蔵したプラグ本体、及び前記プラグ本体からその長手方向に関してはみ出すことなく前記プラグ本体の先端から基端へ向かう向きに斜めに前記プラグ本体の外周面から突出していると共に相手側コネクタと係合するラッチ片を有する複数の光コネクタプラグと、前記複数の光コネクタプラグを把持する光コネクタクリップとを備えている。
【００１６】
また、本発明の光コネクタプラグは、光ファイバの先端近傍が挿入されたフェルールを内蔵したプラグ本体と、前記プラグ本体からその長手方向に関してはみ出すことなく前記プラグ本体の先端から基端へ向かう向きに斜めに前記プラグ本体の外周面から突出していると共に相手側コネクタと係合するラッチ片と、前記プラグ本体における前記光ファイバの先端が配置されている側とは反対側の端部に接続されていると共に前記光ファイバを支持しているプラグキャップと、前記プラグキャップに向けて押圧されることによって変位可能に前記プラグキャップの外周面から斜めに突出したものであって、押圧されると前記ラッチ片を前記プラグ本体に近づく方向に変位させる突出プレートと、前記突出プレートにおいて前記プラグキャップに面しない面から隆起したものであって、前記プラグキャップにおいて前記突出プレートに面した外周面と実質的に平行に延在し且つ凹面となった押圧面を有する隆起片とを備えている。
【００１７】
これらの本発明によると、ユーザが指で押圧面を押圧することによりラッチ片と相手側コネクタとの係合を解除した状態で光コネクタプラグを相手側コネクタから引き抜くときに、突出プレートに隆起片が形成されているので押圧している指が凹面に引っかかるようになる。このため、光コネクタプラグを相手側コネクタから容易に引き抜くことができるようになる。
【００１８】
本発明においては、前記押圧面に連なる前記隆起片の先端が、Ｒ形状を有していることが好ましい。これによると、押圧面を押圧する指を保護することができる。
【００１９】
また、本発明においては、前記隆起片が、前記押圧面が押圧されて前記突出プレートが変位したときにおいて実質的に変形しないような形状を有していることが好ましい。これによると、隆起片に係る力を効率よく伝達させることができる。
【００２０】
さらに、本発明においては、前記プラグキャップにおける前記突出プレートが突出している外周面とは反対側の外周面に、前記プラグキャップの中心軸に直交する方向に延在している溝が形成されていることが好ましい。これによると、指で押圧面を押圧したときに、押圧した指に対向させた指が滑るのを防止することができる。
【００２１】
そして、本発明においては、光ファイバと、前記光ファイバに接続されている光コネクタプラグとを備えていることが好ましい。
【発明を実施するための最良の形態】
【００２２】
以下、本発明に係る第１の実施の形態について、図面を参照しつつ説明する。
【００２３】
図１は、本発明に係る第１の実施の形態による光コネクタクリップの外観斜視図である。また、図２は光コネクタクリップに光コネクタプラグを装着した状態を示す斜視図である。図１および図２において光コネクタクリップ1は、光ファイバの先端近傍が挿入されたフェルール２を内蔵したプラグ本体３と、相手側コネクタと係合するラッチ片５とを有する光コネクタプラグ４を把持するものである。ラッチ片５は、プラグ本体３からその長手方向に関してはみ出すことなくプラグ本体３の先端から基端へ向かう向きに斜めにプラグ本体３の外周面から突出している。
【００２４】
そして、この光コネクタクリップ1は、プラグ本体３の外周面を環状に取り囲むことなく光コネクタプラグ４を把持することが可能な把持溝９を有するクリップ枠体６と、クリップ枠体６の外周面から斜めに突出した突出プレート７と、突出プレート７においてクリップ枠体６に面しない面から隆起した隆起片８とを備えている。なお、光コネクタクリップ1の材質としてはポリエーテルイミドを使用している。
【００２５】
また、光コネクタクリップ1は２つの光コネクタプラグ４を把持するものであると共に、クリップ枠体６は２つの把持溝９が互いの中心軸が平行となるように且つ互いに隣接するように形成されている。このため、光コネクタクリップ1は、２つの光コネクタプラグ４を平行に保持すると共に同時に挿抜可能である。把持溝９は、１つの角部が切り欠かれたような矩形環の断面形状を有している。
【００２６】
突出プレート７は、クリップ枠体６に向けて押圧されることによって変位可能であると共に、把持溝９が光コネクタプラグ４を把持しているときに押圧されると各ラッチ片５をプラグ本体３に近づく方向に変位させるものとしている。隆起片８は、クリップ枠体６において突出プレート７に面した外周面と実質的に平行に延在し且つ凹面となった押圧面８ａを有するものとしている。
【００２７】
隆起片８は突出プレート７の幅方向に関して左右対称に形成されている。このため、押圧面８ａを押圧することにより複数のラッチ片５を均等に変位させることができる。また、隆起片８の先端はＲ形状を有している。よって、押圧面８ａを押圧する指を保護することができる。
【００２８】
図３は、プラグ本体３を装着した光コネクタクリップ1の側面図である。図３において、隆起片８は押圧面８ａが押圧されて突出プレート７が変位したときでも実質的に変形しない形状を有している。本実施形態では隆起片８は略三角形状にしている。このため、隆起片８は変形しにくく、隆起片８に係る力を効率よく伝達させることができる。
【００２９】
また、クリップ枠体６における突出プレート７が突出している外周面とは反対側の外周面に、中心軸に直交する方向に延在している溝１０が形成されている。よって、指で押圧面８ａを押圧したときに、光コネクタクリップ1をつまんだ反対側の指が滑るのを防止することができる。
【００３０】
さらに、クリップ枠体６に把持された光コネクタプラグ４をガイドするガイド体１１を備えている。本実施形態では、ガイド体１１は２つの把持溝９の間に設けられている。このため、各光コネクタプラグ４がガイドされて、各光コネクタプラグ４のフェルール２を正確に対応する相手側のコネクタに挿入することができる。
【００３１】
上述した光コネクタクリップ1の動作を以下に説明する。
【００３２】
光コネクタクリップ1に光コネクタプラグ４を装着するときは、光コネクタプラグ４を把持溝９の側面の開口部から把持溝９の内部に挿入する。挿入が完了したとき、光コネクタプラグ４が光コネクタガイド体１１にガイドされる。また、プラグ本体３のラッチ片５に突出プレート７が係合する。これにより、光コネクタプラグ４が光コネクタクリップ1に装着される。
【００３３】
図４は、光コネクタクリップ１及び光コネクタプラグ４の動作を示した図である。相手側コネクタと光コネクタプラグ４とが係合している場合に、相手側コネクタから光コネクタプラグ４を抜き取るときは、図４に示すように、光コネクタクリップ１の隆起片８を押圧して突出プレート７の端部を光コネクタプラグ４側に変位させる。突出プレート７の端部が変位すると、突出プレート７の端部がラッチ片５の端部を押圧してラッチ片５を変位させる。ラッチ片５が変位することによりラッチ片５と相手側コネクタとの係合が解除可能となる。この状態で、光コネクタクリップ１の隆起片８を相手側コネクタへの挿入方向の反対側に向かって押圧することより、隆起片８を押圧している指を滑らすことなく光コネクタプラグ４を相手側コネクタから抜き取ることができる。
【００３４】
以下、本発明に係る第２の実施の形態について、図面を参照しつつ説明する。
【００３５】
図６は、本発明に係る第２の実施の形態である光コネクタプラグの外観斜視図である。図６において光コネクタプラグ５０は、光ファイバの先端近傍が挿入されたフェルール２を内蔵したプラグ本体３と、相手側コネクタと係合するラッチ片５と、プラグ本体３の内部にフェルール２を封入するためのジャンパープラグエクステンダーキャップ５１とを備えている。ラッチ片５は、プラグ本体３からその長手方向に関してはみ出すことなくプラグ本体３の先端から基端へ向かう向きに斜めにプラグ本体３の外周面から突出している。
【００３６】
ジャンパープラグエクステンダーキャップ５１は、外周面から斜めに突出した突出プレート７と、突出プレート７においてクリップ枠体６に面しない面から隆起した隆起片８とを備えている。突出面７及び隆起片８については、第１の実施の形態と実質的に同様であるため、その詳細な説明を省略する。
【００３７】
光コネクタプラグ５０の動作について説明する。相手側コネクタと光コネクタプラグ５０とが係合している場合に、相手側コネクタから光コネクタプラグ５０を抜き取るときは、隆起片８を押圧して突出プレート７の端部を側壁に向かって変位させる。突出プレート７の端部が変位すると、突出プレート７の端部がラッチ片５の端部を押圧してラッチ片５を変位させる。ラッチ片５が変位することによりラッチ片５と相手側コネクタとの係合が解除可能となる。この状態で、隆起片８を相手側コネクタへの挿入方向の反対側に向かって押圧することより、隆起片８を押圧している指を滑らすことなく光コネクタプラグ５０を相手側コネクタから抜き取ることができる（図４参照）。
【００３８】
以上、本発明の好適な実施の形態について説明したが、本発明は上述の実施の形態に限られるものではなく、特許請求の範囲に記載した限りにおいて様々な設計変更が可能なものである。例えば、第１の実施形態では把持溝９は２つとしているが、これには限られず３つ以上としても良い。
【００３９】
また、第１の実施形態の光コネクタクリップ1を利用して、光ハーネスを構成するようにしても良い。この光ハーネスは、複数の光ファイバと、光ファイバの先端近傍が挿入されたフェルール２を内蔵したプラグ本体３、及びプラグ本体３からその長手方向に関してはみ出すことなくプラグ本体３の先端から基端へ向かう向きに斜めにプラグ本体３の外周面から突出していると共に相手側コネクタと係合するラッチ片５を有する複数の光コネクタプラグ４と、複数の光コネクタプラグ４を把持する光コネクタクリップ1とを備えるものとする。
【図面の簡単な説明】
【００４０】
【図１】本発明に係る第１の実施の形態である光コネクタクリップの外観斜視図である。
【図２】図１に示す光コネクタクリップに光コネクタプラグを装着した状態の斜視図である。
【図３】図１に示す光コネクタクリップに光コネクタプラグを装着した状態の側面図である。
【図４】図３に示す光コネクタクリップ１及び光コネクタプラグ４の動作を示した図である。
【図５】他の実施の形態の光コネクタクリップに光コネクタプラグを装着した状態の斜視図である。
【図６】本発明に係る第２の実施の形態である光コネクタプラグの外観斜視図である。
【符号の説明】
【００４１】
１  光コネクタクリップ
２  フェルール
３  プラグ本体
４  光コネクタプラグ
５  ラッチ片
６  クリップ枠体
７  突出プレート
８  隆起片
９  把持溝
【図１】
2006047810.tif 000003
【図２】
2006047810.tif 000004
【図３】
2006047810.tif 000005
【図４】
2006047810.tif 000006
【図５】
2006047810.tif 000007
【図６】
2006047810.tif 000008